(57)【要約】【課題】服内環境冷却装置を取り外した状態でも衣服として使用できる服内環境冷却装置取付用の衣服を提供する。【解決手段】  服内環境冷却装置取付用の衣服であって、前記線ファスナー８が取り付けられた切り目を備え、第１のスライダー８３ａと第２のスライダー８３ｂは互いに頭をむかい合わせた状態で配置され、第１のスライダー８３ａおよび第２のスライダー８３ｂは、それぞれ第１の務歯８２ａおよび第２の務歯８２ｂの上を移動し、第１の務歯８２ａの一方の端部には第１の蝶棒８４ａが設置され、第１の務歯８２ａの他方の端部には第１の箱８５ａが設置され、第２の務歯８２ｂの一方の端部には第２の蝶棒８４ｂが設置され、第２の務歯８２ｂの他方の端部には第２の箱８５ｂが設置され、第１の蝶棒８４ａに対向する位置には第２のスライダー８３ｂと第２の箱８５ｂが設置され、第２の蝶棒８４ｂに対向する位置には第１のスライダー８３ａと第１の箱８５ａが設置されていることを特徴とする。【選択図】図２
2019151959.tif 000002
【特許請求の範囲】
【請求項１】
服内環境冷却装置取付用の衣服であって、
線ファスナーが取り付けられた切り目を備え、
前記線ファスナーは、第１のスライダーと第２のスライダーは互いに頭をむかい合わせた状態で配置され、
第１のスライダーおよび第２のスライダーは、それぞれ第１の務歯および第２の務歯の上を移動し、第１の務歯の一方の端部には第１の蝶棒が設置され、第１の務歯の他方の端部には第１の箱が設置され、
第２の務歯の一方の端部には第２の蝶棒が設置され、第２の務歯の他方の端部には第２の箱が設置され、
第１の蝶棒に対向する位置には第２のスライダーと第２の箱が設置され、第２の蝶棒に対向する位置には第１のスライダーと第１の箱が設置されていることを特徴とする。
【請求項２】
請求項１に記載の服内環境冷却装置取付用の衣服であって、
前記切り目が上方から下方に向かって伸びていることを特徴とする。
【請求項３】
請求項１に記載の服内環境冷却装置取付用の衣服であって、
前記切り目が横方向に向かって伸びていることを特徴とする。
【請求項４】
請求項１乃至請求項３のいずれかに記載の服内環境冷却装置取付用の衣服であって、
前記切り目が脇腹部分に形成されていることを特徴とする。
【請求項５】
請求項１乃至請求項３のいずれかに記載の服内環境冷却装置取付用の衣服であって、
前記切り目が腹側から背中側に向かって伸びていることを特徴とする。
【請求項６】
請求項１乃至請求項５のいずれかに記載の服内環境冷却装置取付用の衣服であって、
前記線ファスナーが直線であることを特徴とする。
【請求項７】
請求項１乃至請求項６のいずれかに記載の服内環境冷却装置取付用の衣服であって、
前記線ファスナーの第１のスライダー及び第２のスライダーの引手が衣服の内側に配置されていることを特徴とする。
【請求項８】
請求項１乃至請求項６のいずれかに記載の服内環境冷却装置取付用の衣服であって、
前記第１のスライダーおよび前記第２のスライダーの引手には、服内環境冷却装置固定用の孔があることを特徴とする。
【請求項９】
請求項１乃至請求項８のいずれかに記載の服内環境冷却装置取付用の衣服であって、
前記切り目の一方の端部又は両端部分において、衣服の生地が分断されずにつながっていることを特徴とする。
【請求項１０】
請求項１乃至請求項９のいずれかに記載の服内環境冷却装置取付用の衣服であって、
服内環境冷却装置の本体に供給するための液体を貯蔵する液体貯蔵部を収納する液体貯蔵部の収納部を備え、
前記液体貯蔵部の収納部は、前記切り目より上方に位置し、かつ、前記液体貯蔵部から服内環境冷却装置の本体に液体を輸送するための液体輸送管が挿通される挿通孔を備えることを特徴とする。
【請求項１１】
請求項１０に記載の服内環境冷却装置取付用の衣服であって、
前記挿通孔が、前記液体貯蔵部の収納部の下方側、かつ、衣服を着用した際に外側から見えない位置に配置されていることを特徴とする。
【発明の詳細な説明】
【技術分野】
【０００１】  本発明は、衣服の内側の温度を冷却するための服内環境冷却装置が取り付けられる服内環境冷却装置取付用の衣服に関するものである。
【背景技術】
【０００２】  従来から、衣服の内側の温度を冷却するために、服地部に取り付けられたファンを備える空調衣服が知られている（例えば、特許文献１参照）。【０００３】  しかしながら、従来の空調衣服では、衣服に服内環境冷却装置を取り付けるための開口を、服内環境冷却装置の形状に応じて設け、服内環境冷却装置に衣服の生地を挟み込む挟持部を設けて、開口の縁部を挟持部で挟み込んで、衣服に服内環境冷却装置を取り付ける構造であったため、服内環境冷却装置を取り外した状態では、開口が開いたままの状態になり、例えば、夏場に使用した空調衣服を、冬場は服内環境冷却装置を取り外して通常の衣服として使用することができなかった。
【先行技術文献】
【特許文献】
【０００４】
【特許文献１】特開２００６−３０７３５４号公報
【発明の概要】
【発明が解決しようとする課題】
【０００５】  本発明は上記課題を解決するためになされたものであり、服内環境冷却装置を取り外した状態でも通常衣服として使用できる服内環境冷却装置取付用の衣服を提供することを目的とする。
【課題を解決するための手段】
【０００６】  上記課題を解決するために、本発明にかかる服内環境冷却装置取付用の衣服は、  線ファスナーが取り付けられた切り目を備え、前記線ファスナーは、第１のスライダーと第２のスライダーが互いに頭をむかい合わせた状態で配置され、これら第１のスライダーおよび第２のスライダーは、第１の務歯および第２の務歯の上を移動し、第１の務歯の一方の端部には第１の蝶棒が設置され、第１の務歯の他方の端部には第１の箱が設置されている。
第２の務歯の一方の端部には第２の蝶棒が設置され、第２の務歯の他方の端部には第２の箱が設置されている。
第１の蝶棒に対向する位置には第２のスライダーと第２の箱が設置され、第２の蝶棒に対向する位置には第１のスライダーと第１の箱が設置されていることを特徴とする。【０００７】  ここで、前記切り目が上方から下方に向かって伸びるようにしてもよい。【０００８】  また、前記切り目が横方向に向かって伸びるようにしてもよい。【０００９】  また、前記切り目を衣服の脇腹部分に形成するようにしてもよい。【００１０】  また、前記切り目が腹側から背中側に向かって伸びるようにしてもよい。【００１１】  また、前記線ファスナーは直線であることが好ましい。【００１２】  また、前記線ファスナーの第１のスライダー及び第２のスライダーの引手が衣服の内側に配置されていることが好ましい。【００１３】  また、前記第１のスライダーおよび前記第２のスライダーの引手には、服内環境冷却装置固定用の孔があることが好ましい。【００１４】  また、前記切り目の一方の端部又は両端部分において、衣服の生地が分断されずにつながっているようにしてもよい。【００１５】  また、服内環境冷却装置の本体に供給するための液体を貯蔵する液体貯蔵部を収納する液体貯蔵部の収納部を備え、前記液体貯蔵部の収納部は、前記切り目より上方に位置し、かつ、前記液体貯蔵部から服内環境冷却装置の本体に液体を輸送するための液体輸送管が挿通される挿通孔を備えることが好ましい。【００１６】  また、前記挿通孔は、前記液体貯蔵部収納部の下方側、かつ、衣服を着用した際に外側から見えない位置に配置されていることが好ましい。
【発明の効果】
【００１７】  本発明の服内環境冷却装置取付用の衣服は、線ファスナーの両端がそれぞれ第１の蝶棒と第２のスライダー及び第２の箱の組み合せ、第２の蝶棒と第１のスライダー及び第１の箱の組み合せから構成されており、蝶棒がスライダーと箱に対して着脱自在なので、まず解放された蝶棒を服内環境冷却装置の対応する溝に挿通し、その後、蝶棒をスライダーと箱に挿し込み、更にスライダーを操作して切り目を閉じることで、服内環境冷却装置を衣服に取り付けることが可能となる。一方、服内環境冷却装置を衣服から取り外した際には、線ファスナーにより切り目を閉じることができるので、服内環境冷却装置を取り外した状態でも通常衣服として使用することが可能となる。
【図面の簡単な説明】
【００１８】
【図１】本発明にかかる服内環境冷却装置取付用の衣服を線ファスナーを開いた状態で背面側から見た斜視図。
【図２】同衣服に服内環境冷却装置を取り付けた状態で背面側から見た斜視図。
【図３】同衣服の線ファスナーの斜視図。
【図４】同衣服に服内環境冷却装置を取り付けた状態で側方からみた断面図。
【図５】服内環境冷却装置の溝部に同衣服の線ファスナーを挿通するプロセスを説明する斜視図であり、（ａ）は一方のテープの先端に設けられた蝶棒が溝部に挿通される前の状態、（ｂ）は、一方のテープの先端に設けられた蝶棒が溝部に挿通された状態で、他方のテープの先端に設けられた蝶棒が溝部に挿通される前の状態を示す図。
【図６】服内環境冷却装置の溝部に同衣服の線ファスナーを挿通した状態を示す断面図。
【図７】同衣服を線ファスナーを閉じた状態で背面側から見た斜視図
【図８】服内環境冷却装置の第２の部材の突起部でスライダーの引手に設けられた孔を係止した状態を示す斜視図。
【図９】服内環境冷却装置の分解斜視図であり、（ａ）は服内環境冷却装置を正面側から斜めに見た図であり、（ｂ）は背面側から斜めに見た図である。
【図１０】服内環境冷却装置の第１の部材の本体部とリング状部材を組み立てるプロセスを説明する斜視図であり、（ａ衣服Ｃ）は第１の部材を背面側から斜めに見た図であり、（ｂ）は正面側から斜めに見た図である。
【図１１】服内環境冷却装置の第１の部材を縦方向に切断した斜視図。
【図１２】服内環境冷却装置の第１の部材を衣服の線ファスナーで固定するプロセスを説明する正面図。
【図１３】服内環境冷却装置を線ファスナーを用いて衣服に取り付ける方法を説明する斜視図であり、（ａ）は第１の部材を線ファスナーで固定した状態で第２の部材を第１の部材に取り付ける前の状態、（ｂ）は第２の部材を第１の部材に取り付けた状態で、第３の部材を取り付ける前の状態を示す図である。
【図１４】服内環境冷却装置に第２の液体貯蔵部と電源ユニットを接続した状態を示す斜視図。
【図１５】服内環境冷却装置に第２の液体貯蔵部と接続した状態で、服内環境冷却装置を同衣服に取り付けた状態を示す斜視図。
【発明を実施するための形態】
【００１９】  本願にかかる服内環境冷却装置取付用の衣服Ｃを図面を参照しつつ説明する。
図１乃至図３に示すように、衣服Ｃは、線ファスナー８が取り付けられた切り目８０を備えている。線ファスナー８は、第１のテープ８１ａ及び第２のテープ８１ｂ、第１の務歯８２ａ及び第２の務歯８２ｂ、第１のスライダー８３ａ及び第２のスライダー８３ｂ、第１の蝶棒８４ａ及び第２の蝶棒８４ｂ、並びに、第１の箱８５ａ及び第２の箱８５ｂを備えている。第１のスライダー８３ａ及び第２のスライダー８３ｂは、それぞれ第１の引手８７ａと第１の引手に設けられた孔８８ａ及び第２の引手８７ｂと第２の引手に設けられた孔８８ｂを有している。
【００２０】  第１のスライダー８３ａと第２のスライダー８３ｂは互いに頭をむかい合わせた状態で配置されている。
これら第１のスライダー８３ａおよび第２のスライダー８３ｂは、それぞれ第１の務歯８２ａおよび第２の務歯８２ｂの上を移動し、第１の務歯８２ａの一方の端部には第１の蝶棒８４ａが設置され、第１の務歯８２ａの他方の端部には第１の箱８５ａが設置されている。
第２の務歯８２ｂの一方の端部には第２の蝶棒８４ｂが設置され、第２の務歯８２ｂの他方の端部には第２の箱８５ｂが設置されている。
第１の蝶棒８４ａに対向する位置には第２のスライダー８３ｂと第２の箱８５ｂが設置され、第２の蝶棒８４ｂに対向する位置には第１のスライダー８３ａと第１の箱８５ａが設置されている。
【００２１】  ここで、線ファスナー８のスライダー８３ａ，８３ｂの引手８７ａ，８７ｂが衣服Ｃの内側に配置されていることが好ましい。線ファスナー８のスライダー８３ａ，８３ｂの引手８７ａ，８７ｂを衣服Ｃの内側に配置することにより、線ファスナー８をより目立たないようにすることができる。例えば、服内環境冷却装置１を取り外した状態で線ファスナー８を閉じると、引手８７ａ，８７ｂが外から見えなくなるため、衣服Ｃの見た目がすっきりとする。また、スライダーの引手が外側にあると、工場や建築現場などの作業中にスライダーの引手が何かに引っかかる虞があるため好ましくない。
【００２２】  また、切り目８０を上方から下方に向かって伸びるように衣服Ｃに形成してもよい。このように切り目８０を上方から下方に向かって伸びるように形成することで、服内環境冷却装置１の取り付け位置を上下方向に調整することが可能となる。
【００２３】  また、切り目８０を横方向に向かって伸びるように衣服Ｃに形成してもよい。
このように切り目８０を横方向に向かって伸びるように形成することで、服内環境冷却装置１の取り付け位置を横方向に調整することが可能となる。
【００２４】  なお、切り目８０を斜め方向に向かって伸びるように衣服Ｃに形成してもよい。また、図１等では衣服Ｃに２つの線ファスナー８を設置した場合を示したが、設置する線ファスナー８の数は１つであってもよいし、３つ以上であってもよい。
【００２５】  また、切り目８０の取り付け位置は、衣服Ｃの脇腹部分に形成するようにしてもよい。
【００２６】  また、切り目８０が衣服Ｃの腹側から背中側に向かって伸びるように形成してもよい。このように切り目８０を形成することにより、状況に応じて、服内環境冷却装置１を腹側に配置したり、脇腹部分に配置したり、背中側に配置したりすることができるようになり、例えば、作業時の姿勢や、重点的に冷却したい身体部位に応じて服内環境冷却装置１の取り付け位置を調整できる。
【００２７】  また、切り目８０は直線であることが好ましい。このように切り目８０を直線とすることで、切り目８０への線ファスナーの取り付け作業が格段に容易になり、製品の歩留まりが向上する。
【００２８】  なお、本実施形態に係る衣服Ｃでは、図１等において、切り目８０の両端部分において衣服Ｃの生地が分断されずにつながっている場合について示したが、切り目の一方の端部において衣服の生地が分断されずにつながっており、他方の端部において衣服の生地が分断された構成であってもよい。
【００２９】  次に、衣服Ｃに取り付けられる服内環境冷却装置１について説明する。図４に示すように、服内環境冷却装置１は衣服Ｃの外部に配置され、外部の空気を取り込む空気取込口１１と、衣服Ｃと該衣服Ｃを装着した人体Ｈの間の衣服内空間Ｓに配置され、空気取込口１１から取り込まれた空気を衣服内空間Ｓに排出する空気排出口１２と、空気取込口１１から空気排出口１２に向かう空気流を生成するファン１３とを備えている。
【００３０】  図５（ａ），（ｂ）と図６及び図１１に示すように、服内環境冷却装置１は、線ファスナー８を、服内環境冷却装置の第１の位置Ｘから第２の位置Ｙまで挿通するための１対の溝部２を備えている。本実施形態では、上側に配置された溝部２を、線ファスナー８の第１の位置Ｘから挿入して第２の位置Ｙから引き出し、下側に配置された溝部２を、線ファスナー８の第２の位置Ｙから挿入して第１の位置Ｘから引き出した例を示している。１対の溝部２は、線ファスナー８のテープ８１ａ，８１ｂを挿通するためのテープ挿通部２１と、線ファスナー８の務歯８２ａ，８２ｂを挿通するため務歯挿通部２２とをそれぞれ有している。
【００３１】  図６に示すように、テープ挿通部２１は、溝部２の幅方向の断面において、務歯挿通部２２から服内環境冷却装置１の外部まで連通している。テープ挿通部２１の幅Ｗ１は、線ファスナー８のテープ８１ａ，８１ｂの厚さＴより大きく、線ファスナー８の務歯８２ａ，８２ｂの幅Ｗ２より小さく、務歯挿通部２２の幅Ｗ３は、線ファスナー８の務歯８２ａ，
８２ｂの幅Ｗ２より大きくなっている。
【００３２】  このような構造の服内環境冷却装置１によれば、服内環境冷却装置１の溝部２に線ファスナー８が挿通された状態で、溝部２によって線ファスナー８が係止されるので、例えば高所作業の現場で衣服Ｃ又は服内環境冷却装置１に強い力が働いた場合であっても、衣服Ｃから服内環境冷却装置１が抜け落ちることを防止することができる。
【００３３】  また、従来の空調衣服では、衣服に服内環境冷却装置を取り付けるための開口を、服内環境冷却装置の形状に応じて設け、服内環境冷却装置に衣服の生地を挟み込む挟持部を設けて、開口の縁部を挟持部で挟み込んで、衣服に服内環境冷却装置を取り付ける構造であったため、服内環境冷却装置を衣服から取り外した状態では開口が開いたままとなり、服内環境冷却装置を取り外した状態では通常衣服として着用することができなかったが、図７に示すように、本発明に係る衣服Ｃでは、服内環境冷却装置１を取り外した際、線ファスナー８を閉じることにより切り目８０を塞ぐことができるので、服内環境冷却装置１を衣服Ｃから取り外した状態でも通常衣服として着用することが可能となる。
また、衣服への線ファスナーの取り付けは、衣服製造の際に一般的に行われる工程であるため、衣服の製造プロセスを大きく変更する必要もなく、コスト的なメリットも大きい。
【００３４】  図８に示すように、服内環境冷却装置１は、スライダー８３ａ，８３ｂの引手８７ａ，８７ｂに設けられた孔８８ａ、８８ｂを係止してスライダー８３ａ，８３ｂを固定する突起部４１を備えている。
引手８７ａ，８７ｂに設けられた孔８８ａ、８８ｂを突起部４１に固定することによって、より確実に衣服Ｃからの服内環境冷却装置１の抜け落ちを防止することができる。
【００３５】  服内環境冷却装置１では、ファン１３により、衣服Ｃの外部に配置された空気取込口１１から外部の空気を取り込み、衣服Ｃと該衣服Ｃを装着した人体の間の衣服内空間Ｓに配置された空気排出口１２から該衣服内空間Ｓに空気を排出して、空気取込口１１から空気排出口１２に向かう空気流を生成する。そして、霧発生手段１５により、第１の液体貯蔵部１４に貯蔵された液体を使って霧を発生させ、空気流に霧を供給する。そして、衣服内空間Ｓで霧を気化させることにより、その気化熱で衣服内空間Ｓの温度を冷却する。
【００３６】  次に、服内環境冷却装置１の衣服Ｃにの取付方法について詳細に説明する。
図９では、ファン１３が収納された第１の部材３と、第１の液体貯蔵部１４、霧発生手段１５及び制御基板等が収納された第２の部材４と、分流板５１及びベルト装着用部材５２を含む第３の部材５を組み立てることによって服内環境冷却装置１を構成した例を示している。図１０及び図１１に示すように、第１の部材３は、円筒状部３１と該円筒状部３１の一方の端部に形成された該円筒状部３１の直径より外径が大きいつば部３２とを有する本体部３３と、該本体部３３に挿入されるリング状部材３４とを備えている。リング状部材３４は、円筒状部３１に嵌合できるようにリング状部材３４の内径が円筒状部３１の直径よりわずかに大きくなるように形成されている。
また、リング状部材３４の外径はつば部３２の外径と同じになるように形成されており、リング状部材３４とつば部３２の外縁には、互いに対向するように突出部３５，３６が上述した第１の位置Ｘから第２の位置Ｙまで延びている。
本体部３３とリング状部材３４は、例えば、接着剤又は超音波融着手段などで接合され、接合された状態で対向する突出部３５，３６が間隔を有することによりテープ挿通部２１が確保される。
【００３７】  本体部３３とリング状部材３４が接合された状態で、図５と図１１に示すように、線ファスナー８の蝶棒８４ａ，８４ｂを第１の部材３の溝部２に挿通する。そして、図１２に示すように、線ファスナー８の両端において、蝶棒８４ａ，８４ｂをスライダー８３ａ、８３ｂと箱８５ａ，８５ｂに挿入し、スライダー８３ａ，８３ｂを操作して線ファスナー８を閉める。
【００３８】  第２の部材４は、第１の部材３の円筒状部３１の嵌合する孔部４３を備えており、図１３に示すように第２の部材４を第１の部材３の円筒状部３１に嵌合し、更に第２の部材４を第１の部材３の円筒状部３１に嵌合させた状態で、スライダー８３ａ，８３ｂの引手８７ａ，８７ｂに設けられた孔８８ａ、８８ｂを突起部４１に固定する。
【００３９】  また、第１の部材３はファン１３の軸部分に嵌合突起３７が形成されており、該嵌合突起３７が第３の部材５の分流板５１の、先端が広がっていない側の端部に嵌合され、服内環境冷却装置１が衣服Ｃに取り付けられる。
【００４０】  なお、図１４及び図１５に示すように、服内環境冷却装置１は、本体と一体的に形成された第１の液体貯蔵部１４とは別に、服内環境冷却装置１の本体からは独立し、第１の液体貯蔵部１４より容積が大きい第２の液体貯蔵部１６と、第１の液体貯蔵部１４と第２の液体貯蔵部１６を連結して、第２の液体貯蔵部１６から第１の液体貯蔵部１４に液体を輸送するための液体輸送管１７とを設けるようにしてもよい。
【００４１】  このような場合には、衣服Ｃに第２の液体貯蔵部１６を収納する液体貯蔵部の収納部７を設ける。液体貯蔵部の収納部７は切り目８０より上方に配置され、かつ、第２の液体貯蔵部１６から服内環境冷却装置１の本体に液体を輸送するための液体輸送管１７が挿通される挿通孔７１が形成される。液体貯蔵部収納部７を切り目８０より上方に配置することにより、ポンプ等を利用することなく、重力を利用して第２の液体貯蔵部１６の液体を第１の液体貯蔵部１４に供給することが可能となる。
【００４２】  また、挿通孔７１は、液体貯蔵部収納部７の下方側に配置され、かつ、衣服を着用した際に外側から見えない位置に配置されていることが好ましい。このような液体貯蔵部の収納部７は、例えば、衣服Ｃの胸ポケットの裏側の生地に挿通孔７１を設けることにより形成される。
【符号の説明】
【００４３】１  服内環境冷却装置
２  溝部
３  第１の部材
４  第２の部材
５  第３の部材
８  線ファスナー
７  第２の液体貯蔵部の収納部
１１  空気取込口
１２  空気排出口
１３  ファン
１４  第１の液体貯蔵部
１５  霧発生手段
１６  第２の液体貯蔵部
１７  液体輸送管
２１  テープ挿通部
２２  務歯挿通部
４１  突起部
７１  液体輸送管が挿通される挿通孔
８０  切り目
８１ａ，８１ｂ  第１のテープ，第２のテープ
８２ａ，８２ｂ  第１の務歯，第２の務歯
８３ａ，８３ｂ  第１のスライダー，第２のスライダー
８４ａ，８４ｂ  第１の蝶棒，第２の蝶棒
８５ａ，８５ｂ  第１の箱，第２の箱
８７ａ，８７ｂ  第１の引手，第２の引手
８８ａ，８８ｂ  第１の引手に設けられた孔，第２の引手に設けられた孔
Ｃ  衣服
Ｈ  人体
Ｓ  衣服内空間
Ｔ  テープの厚さ
Ｗ１  テープ挿通部の幅
Ｗ２  務歯の幅
Ｗ３  務歯挿通部の幅
【図１】
2019151959.tif 000003
【図２】
2019151959.tif 000004
【図３】
2019151959.tif 000005
【図４】
2019151959.tif 000006
【図５】
2019151959.tif 000007
【図６】
2019151959.tif 000008
【図７】
2019151959.tif 000009
【図８】
2019151959.tif 000010
【図９】
2019151959.tif 000011
【図１０】
2019151959.tif 000012
【図１１】
2019151959.tif 000013
【図１２】
2019151959.tif 000014
【図１３】
2019151959.tif 000015
【図１４】
2019151959.tif 000016
【図１５】
2019151959.tif 000017
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
2019151959.tif 000018
線ファスナーが取り付けられた切り目を備え、
前記線ファスナーは、第１のスライダーと第２のスライダーは互いに頭をむ
2019151959.tif 000019
前記第１のスライダーおよび前記第２のスライダーは、それぞれ第１の務歯および第２の務歯の上を移動し、
2019151959.tif 000020
前記第２のスライダーと前記第２の箱から解放された前記第１の蝶棒及び前記前記第１のスライダーと前記第１の箱から解放された前記第２の蝶棒を前記
2019151959.tif 000021
第１の蝶棒を前記第２のスライダー及び前記第２の箱に挿し込み、前記第２の蝶棒を前記第１のスライダー及び前記第１の箱に挿し込み、更に第１のスライダー及び第２のスライダーを操作して切り目を閉じることで、前記服内環境冷
2019151959.tif 000022
【請求項２】
2019151959.tif 000023
前記切り目が上方から下方に向かって伸びていることを特徴とする。
【請求項３】
2019151959.tif 000024
前記切り目が横方向に向かって伸びていることを特徴とする。
【請求項４】
2019151959.tif 000025
あって、
前記切り目が脇腹部分に形成されていることを特徴とする。
【請求項５】
2019151959.tif 000026
あって、
前記切り目が腹側から背中側に向かって伸びていることを特徴とする。
【請求項６】
2019151959.tif 000027
あって、
2019151959.tif 000028
【請求項７】
2019151959.tif 000029
あって、
前記線ファスナーの第１のスライダー及び第２のスライダーの引手が衣服の
2019151959.tif 000030
【請求項８】
2019151959.tif 000031
あって、
前記第１のスライダーおよび前記第２のスライダーの引手には、服内環境冷
2019151959.tif 000032
【請求項９】
2019151959.tif 000033
あって、
前記切り目の一方の端部又は両端部分において、衣服の生地が分断されずにつながっていることを特徴とする。
【請求項１０】
2019151959.tif 000034
あって、
2019151959.tif 000035
する液体貯蔵部の収納部を備え、
2019151959.tif 000036
される挿通孔を備えることを特徴とする。
【請求項１１】
2019151959.tif 000037
前記挿通孔が、前記液体貯蔵部の収納部の下方側、かつ、衣服を着用した際
2019151959.tif 000038
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
服内環境冷却装置取付用の衣服であって、
線ファスナーが取り付けられた切り目を備え、
前記線ファスナーは、第１のスライダーと第２のスライダーは互いに頭をむかい合わせた状態で配置され、
前記第１のスライダーおよび前記第２のスライダーは、それぞれ第１の務歯および第２の務歯の上を移動し、
前記第１の務歯の一方の端部には第１の蝶棒が設置され、前記第１の務歯の他方の端部には第１の箱が設置され、
前記第２の務歯の一方の端部には第２の蝶棒が設置され、前記第２の務歯の他方の端部には第２の箱が設置され、
前記第１の蝶棒に対向する位置には前記第２のスライダーと前記第２の箱が設置され、前記第２の蝶棒に対向する位置には前記第１のスライダーと前記第１の箱が設置され、
前記第２のスライダーと前記第２の箱から解放された前記第１の蝶棒及び前記第１のスライダーと前記第１の箱から解放された前記第２の蝶棒を前記服内環境冷却装置の対応する線ファスナー係止用の溝に挿通し、その後、前記第１の蝶棒を前記第２のスライダー及び前記第２の箱に挿し込み、前記第２の蝶棒を前記第１のスライダー及び前記第１の箱に挿し込み、更に第１のスライダー及び第２のスライダーを操作して切り目を閉じることで、前記服内環境冷却装置が取付自在であることを特徴とする。
【請求項２】
請求項１に記載の服内環境冷却装置取付用の衣服であって、
前記切り目が上方から下方に向かって伸びていることを特徴とする。
【請求項３】
請求項１に記載の服内環境冷却装置取付用の衣服であって、
前記切り目が横方向に向かって伸びていることを特徴とする。
【請求項４】
請求項１乃至請求項３のいずれかに記載の服内環境冷却装置取付用の衣服であって、
前記切り目が脇腹部分に形成されていることを特徴とする。
【請求項５】
請求項１乃至請求項３のいずれかに記載の服内環境冷却装置取付用の衣服であって、
前記切り目が腹側から背中側に向かって伸びていることを特徴とする。
【請求項６】
請求項１乃至請求項５のいずれかに記載の服内環境冷却装置取付用の衣服であって、
前記線ファスナーが直線であることを特徴とする。
【請求項７】
請求項１乃至請求項６のいずれかに記載の服内環境冷却装置取付用の衣服であって、
前記線ファスナーの第１のスライダー及び第２のスライダーの引手が衣服の内側に配置されていることを特徴とする。
【請求項８】
請求項１乃至請求項６のいずれかに記載の服内環境冷却装置取付用の衣服であって、
前記第１のスライダーおよび前記第２のスライダーの引手には、服内環境冷却装置固定用の孔があることを特徴とする。
【請求項９】
請求項１乃至請求項８のいずれかに記載の服内環境冷却装置取付用の衣服であって、
前記切り目の一方の端部又は両端部分において、衣服の生地が分断されずにつながっていることを特徴とする。
【請求項１０】
請求項１乃至請求項９のいずれかに記載の服内環境冷却装置取付用の衣服であって、
服内環境冷却装置の本体に供給するための液体を貯蔵する液体貯蔵部を収納する液体貯蔵部の収納部を備え、
前記液体貯蔵部の収納部は、前記切り目より上方に位置し、かつ、前記液体貯蔵部から服内環境冷却装置の本体に液体を輸送するための液体輸送管が挿通される挿通孔を備えることを特徴とする。
【請求項１１】
請求項１０に記載の服内環境冷却装置取付用の衣服であって、
前記挿通孔が、前記液体貯蔵部の収納部の下方側、かつ、衣服を着用した際に外側から見えない位置に配置されていることを特徴とする。